(57)【要約】本発明の目的は、ブラシ取付台から取り外しができ、且つ移動可能とした各々ブラシを順繰りにローテーションしてブラシ取付台に並設できるとともに、特定の方向からの負荷に対抗して、ブラシ取付台との締着力を維持できるようにした自動裁断機のブラシ取り付け構造を提供することである。裁断支持面用ブラシの裏側の突起がブラシ取付台上で移動可能な方向に直交する特定の方向からの負荷に抗して外れることのないように、後方側の列に有する突起の嵌合面よりも堅固な引っ掛け度合の嵌合面を係止面とする係止突起を前方側の列に形成し、ブラシ取付台には、ブラシの係止突起の係止面に対向させて前記嵌合リブの嵌合面よりも堅固な引っ掛け度合の係止面を有する係止リブを形成した。
2004007830.tif 000002
【特許請求の範囲】
【請求項１】
裁断支持面用ブラシ取付台に多数のブラシを設けてシート材裁断支持面を形成し、さらに前記ブラシ取付台の下方にはこの裁断支持面上に載置されるシート材を吸引する吸引機構と、前記裁断支持面の上方には任意の位置に移動可能としたカッター装置とを設け、該カッター装置の移動によって前記裁断支持面上に載置されたシート材を所定の形状に裁断でき、且つ裁断後のシート材を搬出できるように、前記シート材裁断支持面をコンベアとして移動可能にした自動裁断機において、
前記裁断支持面用ブラシには、吸引通気孔を有する基部の表側に多数の剛毛と裏側に複数の列の突起とを有し、該突起が前記ブラシ取付台に対して着脱可能且つ移動可能に嵌合し、前記ブラシ取付台上で移動可能な方向に直交する特定の方向からの負荷に抗して嵌合が外れることのないように、後方側の列に有する突起の嵌合面よりも堅固な引っ掛け度合の嵌合面を係止面とする係止突起を前方側の列に形成し、
前記ブラシ取付台には、前記ブラシの突起の嵌合面に対向する嵌合面を有する嵌合リブと、前記ブラシの係止突起の係止面に対向させて前記嵌合リブの嵌合面よりも堅固な引っ掛け度合の係止面を有する係止リブとを形成したことを特徴とする裁断テーブルのブラシ取り付け構造。
【請求項２】
前記ブラシ取付台には、前記係止リブよりも後方側の列に前方側からの負荷を受けとめるように、前記裁断支持面用ブラシに形成した係止突起の背面をガイドする補助リブを形成したことを特徴とする請求項１に記載の裁断テーブルのブラシ取り付け構造。
【請求項３】
前記裁断支持面用ブラシには、前方側からの負荷を受け止めるように、前記係止突起よりも後方側に補助突起を形成するとともに、前記ブラシ取付台には、当該補助突起の後面をガイドする補助リブを形成したことを特徴とする請求項１に記載の裁断テーブルのブラシ取り付け構造。
【発明の詳細な説明】
【技術分野】  本発明は編地や織地等のシート材を所望の形状に裁断する自動裁断機における裁断テーブルの裁断支持面用ブラシ取り付け構造の改良に関する。
【背景技術】  自動裁断機では裁断テーブル上に延反されたシート材を搬入し、上方からカッターナイフを上下運動させながら自在に移動して所定の形状に裁断可能に成されており、その際カッターナイフは裁断テーブルを突き刺す状態で前後左右に移動するために、裁断テーブルは剛毛ブラシを敷き詰めて形成されている。さらに裁断テーブルは裁断後のシート材を搬出するようにコンベアとして移動可能にされてあって、例えば特開平３−２６４９６号公報に記載のようなブラシ取付台及び裁断支持面用ブラシでは、ブラシはブラシ取付台の長手方向の溝に嵌合して移動可能であり、各ブラシをブラシ取付台に着脱する場合は、各ブラシをブラシ取付台の端から移動させて取り付け、および／または取り除いてブラシの交換を行っている。
前記のようなブラシ取付台及び裁断支持面用ブラシの構成では、該ブラシはブラシ取付台上を溝に沿って移動出来るがその箇所では着脱できない。例えば多数のブラシによって形成される裁断支持面の中央部分の裁断支持面用ブラシが損傷して、そのブラシを交換しなければならない場合、何ら損傷のない他のブラシも含めてそれらのブラシを移動させてブラシ取付台から一旦取り除き、再び新しいブラシと共にそれらブラシを取付台に戻さねばならない手間が掛かっていた。このような手間を解消するために、本出願人は裁断支持面上方から損傷したブラシを取り除いて新しいものと交換できるように、例えば特開平５−７１０６７号公報に記載の自動裁断機における裁断支持面用ブラシ取り付け構造を提案した。
しかしながら、前記裁断支持面の上方からブラシを持ち上げて任意に取り除くことができる構造の場合では、手でブラシを持ち上げることができる程度の締着力がブラシ取付台との間で許容されているに過ぎず、許容以上の負荷が掛かった場合、および特定の方向からの負荷が連続的に掛かった場合には締着力が劣化してブラシ取付台からブラシが外れてしまうことになる。例えば、裁断後のシート材を搬出する際に、裁断支持面がコンベアとなって搬出側に移動して裁断後のシート材を裁断支持面から離脱させるために、裁断テーブルの端に裁断シート材を掬い放す櫛状部材をブラシの剛毛に分け入らせて取付けている。これにより、連続稼働中にブラシの剛毛同士が絡まり不均一となった場合、コンベアとして移動する前方向から許容以上の負荷がブラシに掛かったり、また長期的には、ブラシに繰り返し連続的な負荷が掛かり、ブラシとブラシ取付台との締着力が早く劣化してしまって稼働中にブラシ取付台から外れてしまう可能性が高くなる等の問題が生じる。
【発明の開示】
本発明は、上記のような点を鑑み発明されたものであって、裁断支持面用ブラシ取付台に並設する複数の裁断支持面用ブラシのうち、所望の箇所のブラシをブラシ取付台から任意に取り外しができて、且つ移動可能とした各々ブラシを順繰りにローテーションしてブラシ取付台に並設できるとともに、特定の方向からの負荷に対抗して、ブラシ取付台との締着力を維持できるようにした自動裁断機における裁断支持面用ブラシ取り付け構造を提供することを目的とする。
本発明は、裁断支持面用ブラシ取付台に多数のブラシを設けてシート材裁断支持面を形成し、さらに前記ブラシ取付台の下方にはこの裁断支持面上に載置されるシート材を吸引する吸引機構と、前記裁断支持面の上方には任意の位置に移動可能としたカッター装置とを設け、該カッター装置の移動によって前記裁断支持面上に載置されたシート材を所定の形状に裁断でき、且つ裁断後のシート材を搬出できるように、前記シート材裁断支持面をコンベアとして移動可能にした自動裁断機において、
前記裁断支持面用ブラシには、吸引通気孔を有する基部の表側に多数の剛毛と裏側に複数の列の突起とを有し、該突起が前記ブラシ取付台に対して着脱可能且つ移動可能に嵌合し、前記ブラシ取付台上で移動可能な方向に直交する特定の方向からの負荷に抗して嵌合が外れることのないように、後方側の列に有する突起の嵌合面よりも堅固な引っ掛け度合の嵌合面を係止面とする係止突起を前方側の列に形成し、
前記ブラシ取付台には、前記ブラシの突起の嵌合面に対向させた嵌合面を有する嵌合リブと、前記ブラシの係止突起の係止面に対向させて前記嵌合リブの嵌合面よりも堅固な引っ掛け度合の係止面を有する係止リブとを形成してある。
好ましい構造として、前記ブラシ取付台には、前記係止リブよりも後方側の列に前方側からの負荷を受け止めるように、前記裁断支持面用ブラシに形成した係止突起の背面をガイドする補助リブを形成してある。
また、前記裁断支持面用ブラシには、前方側からの負荷を受け止めるように、前記係止突起よりも後方側に補助突起を形成するとともに、前記ブラシ取付台には、当該補助突起の後面をガイドする補助リブを形成してある。
上記構成により、裁断支持面用ブラシ取付台の係止リブに裁断支持面用ブラシの係止突起を嵌合させて裁断支持面用ブラシ取付台上を移動可能に複数のブラシが取り付けられる。そして当該ブラシ取付台に取り付けられたこれら多数のブラシによって裁断支持面を形成する。
また、裁断作業によってブラシの剛毛が損傷して交換する際、そのブラシを、締着状態を解除するように係止突起を設けない他端側を上方に持ち上げて取付台のその場所から取り外し、次に別のブラシを嵌合する際、その場所または他のブラシを移動させた別の場所でブラシの係止突起側をブラシ取付台の係止リブに嵌めた後、ブラシの他端側の突起をブラシ取付台の嵌合リブに締着することができる。その上、ブラシの係止突起とブラシ取付台の係止リブが噛み合って嵌合しているブラシの係止突起側を持ち上げても、ブラシの係止突起とブラシ取付台の係止リブとが堅固に引っ掛かって外れない構造である。さらに多数のブラシで構成する裁断支持面がコンベアとなってシート材を搬出する側へ移動の際、ブラシが前方側から押されることによってブラシに形成した突起が撓むのを防止するように個々のブラシに掛かる負荷を受け止める構造である。
【図面の簡単な説明】  本発明の目的、特色、および利点は、下記の詳細な説明と図面とからより明確になるであろう。
図１は、本発明に係る自動裁断機の斜視図を示す。
図２は、裁断支持面用ブラシ取付台と裁断支持面用ブラシとの自動裁断機への配設状態を示す要部側面図を示す。
図３は、本発明に係る一実施例の裁断支持面用ブラシ取付台と裁断支持面用ブラシと嵌合関係を示す一部切欠側面図を示す。
図４は、本発明に係る他の実施例の裁断支持面用ブラシ取付台と裁断支持面用ブラシと嵌合関係を示す一部切欠側面図を示す。
図５は、裁断支持面用ブラシ取付台と裁断支持面用ブラシとの自動裁断機への配設状態を示す要部正面図を示す。
【発明を実施するための最良の形態】  本発明の好適な実施の形態として、以下、本発明の実施例を図１〜図５に基づいて詳細に説明する。図１は、当該自動裁断機の全体の構成を示し、図２は、当該自動裁断機の裁断テーブルのシート材搬出側の部分断面図であり、図中の矢印は、シート材を搬出する際のシート材およびブラシの進行方向を示す。図３および図４は、裁断テーブルのシート材支持面を構成するブラシがブラシ取付台に嵌合された状態を拡大して示し、図５は、前記ブラシ取付台にブラシが並置された部分断面の図を示す。
自動裁断機１の裁断テーブル２は、自動裁断機本体３の両側にエンドレスチェーン４を設け、この両エンドレスチェーン４に多数の裁断支持面用ブラシ取付台（以下ブラシ取付台と記す）５を並べて架設してある。各々ブラシ取付台５は駆動装置６の駆動によるエンドレスチェーン４の回動によって移動する。また、各々のブラシ取付台５には、複数の裁断支持面用ブラシ（以下ブラシと記す）７が設けてあり、裁断するシート材１４を載置する裁断支持面８は、各々ブラシ７の剛毛７ａによって形成されている。
さらに、前記ブラシ取付台５及びブラシ７の基部には各々通気孔９，１０が配置されていて、この裁断テーブル２の裁断支持面８上に載置されるシート材１４を吸引する吸引装置１１が前記ブラシ取付台５の下方に設けられ、上記吸引装置１１を作動させることによって、裁断テーブル２の裁断支持面８上に載置されるシート１４を吸引して支持できるようにしてある。
当該裁断テーブル２の上方には、左右方向に移動可能としたカッター装置１２が、前後方向に移動可能とした横架支持体１３に支持されて設けられている。カッター装置１２は駆動装置（図示省略）によって横架支持体１３上を左右に移動可能にされ、また横架支持体１３も上記裁断テーブル２上を前後方向に駆動装置（図示省略）によって移動可能にされてある。またカッター装置１２には上下動および刃の向きを可変とするカッターナイフが設けられ、このカッター装置１２の左右方向への移動と、横架支持体１３の前後方向への移動によってカッター装置１２は裁断テーブル２の任意の位置に移動し、裁断支持面８上に載置されたシート材１４を任意の形状に裁断できるようにしてある。尚、前記左右方向および前後方向は、上方からの視点において、裁断テーブル２の裁断支持面８が回動して移動する方向（矢印方向）を基準に前方向とし、その逆方向を後方向とする。また前方向に対して直交する方向を左右方向とする。
本発明に係る裁断テーブルのブラシ取り付け構造について、前記自動裁断機１におけるブラシ取付台５及びブラシ７の構成をさらに説明する。先ず、ブラシ取付台５は、その両端を自動裁断機本体２の両側に設けたエンドレスチェーン４に架設できる適当な長さの剛性を有する形材であって、多数の通気孔９を適宜配置してある。またブラシ取付台５の上部長手方向には、多数のブラシ７を並べて係止できるようにしてあって、図３に示すような一列の係止リブ１５と複列の嵌合リブ１６が長手方向の上方に突出するように形成してある。この係止リブ１５は、エンドルスチェーン４によってブラシ取付台の移動する方向の最前列に形成され、上部を後方向けて膨出し、オーバーハング状に張り出させた面が裁断支持面８に対して略平行、あるいは裁断支持面８に対して上向きまたは下向きの適宜の傾斜面または曲面の係止面１５ａとして形成されている。そして嵌合リブ１６は、係止リブ１５よりも後列に形成され、上部を横方向に膨出し、オーバーハング状に張り出させた面が滑らかな傾斜の嵌合面１６ａとして形成されている。さらに、後述する好ましい構造として、前記係止リブ１５の後方側にブラシ７の係止突起１８の背面をガイドする補助リブ１７が形成してある。またブラシ取付台５の下部には、両端の下部両側近傍および適宜位置に補助ローラ２０を取り付け、中央部両端をエンドレスチェーン４の適宜間隔のリンクに設けたアタッチメント２１に固定できるようにしてあって、各ブラシ取付台がエンドレスチェーン４上に並べて架設される。
一方、上記ブラシ取付台５に取り付けるブラシ７は、合成樹脂等の可撓性を有する材料で成形され、多数の通気孔１０を有するとともに上部に多数の剛毛７ａを有し、さらに下部には前記ブラシ取付台５の係止リブ１５の係止面１５ａに対峙して着脱自在に係止できるように係止突起１８と、前記ブラシ取付台５に設けた複数列の嵌合リブ１６の嵌合面１６ａにそれぞれ対峙するように締着突起１９とを突設してある。当該係止突起１８は、先頭を前方向けて膨出し、オーバーハング状に張り出させた面が裁断支持面８に略平行、あるいは裁断支持面８に対して下向きまたは上向きの適宜の傾斜面または曲面の係止面１８ａを形成するとともに、適度な厚さを有して剛性を持たせる。好ましい構造としては、当該係止突起１８の背面をブラシ取付台５に設けた補助リブ１７でガイドするのがより効果的である。当該補助リブ１７はブラシ７に対する前方から負荷を受け止める役割を果たす。前記締着突起１９は、前記嵌合リブ１６の嵌合面１６ａに嵌合できるような滑らかな嵌合斜面１９ａを形成するとともに、前後方向に適度なバネ性を有する厚さで形成している。そしてブラシ取付台５の係止リブ１５の係止面１５ａと、ブラシ７の係止突起１８の係止面１８ａとを噛み合わせて引っ掛け効果を得るとともに、ブラシ取付台５の嵌合リブ１６の嵌合面１６ａと、ブラシの締着突起１９の嵌合斜面１９ａとを適度に押圧し、ブラシ７がブラシ取付台５上を移動可能なようにしてある。
従い、ブラシ７の後方側を上方に持ち上げることによって、バネ性のある当該の締着突起１９は、ブラシ取付台５の嵌合リブ１６の嵌合面１６ａに沿って撓みながら嵌合リブ１６から外れ、その次に、当該ブラシ７の係止突起１８はブラシ取付台５の係止リブ１５の係止面１５ａから抜け出すように外れ、前記ブラシ７とブラシ取付台５との嵌合が解除されることになる。しかしながら、ブラシ７の係止突起１８側の一端を持ち上げても、係止突起１８の係止面１８ａとブラシ取付台５の最前列に形成された係止リブ１５の係止面１５ａとが裁断支持面８に略平行、あるいは裁断支持面８に対して下向きまたは上向きの適宜の傾斜面または曲面の堅固に引っ掛かる形状で噛み合っているため容易に嵌合が外れることはない。また、ブラシ７をブラシ取付台５に取り付ける場合は、先ず、このブラシ７の係止突起１８の係止面１８ａをブラシ取付台５の係止リブ１５の係止面１５ａに噛み合うように、係止突起１８を係止リブ１５の下方に差し入れ、次に、ブラシ７の締着突起１９をブラシ取付台５の嵌合リブ１６の上方から押し込んで行くことにより、バネ性のあるブラシ７の締着突起１９は、ブラシ取付台５の嵌合リブ１６に沿って撓みながら嵌まり込み、ブラシ７の締着突起１９の嵌合斜面１９ａとブラシ取付台５の嵌合リブ１６の嵌合面１６ａとがそれぞれ嵌合することになる。
上記構成のブラシ取付台５およびブラシ７により、ブラシ取付台５に設けた最前列側の係止リブ１５および他の列の嵌合リブ１６と各ブラシ７の係止突起１８および締着突起１９とが嵌合してブラシ取付台５上に多数のブラシ７が配置される。また、ブラシ取付台５上の多数配置したブラシ７の両端にガイドブロック２３を固定してブラシ７の側面を密閉するとともに、ガイドローラー２４を設けてガイドバー２５によりガイドされる。このようにしてエンドレスチェーン４に並べて架設した多数のブラシ取付台５に設けた多数のブラシ７を裁断支持面とする裁断テーブルが形成される。
裁断作業によってブラシ７の剛毛７ａが損傷した場合は、その損傷したブラシ７を、係止状態を解除するように後方側の一端を上方に持ち上げてブラシ取付台５から取り外す。そして、当該ブラシ取付台５上で他のブラシ７を適宜移動させてブラシ間を詰めて新しいブラシ７をブラシ取付台５の別の位置に配置しても良く、あるいは元の場所に配置しても良い。
裁断された後のシート材１４は、裁断テーブル２上を裁断支持面８とともに搬出側に移動し、裁断テーブル２の端で櫛状部材２２で掬い取られて裁断支持面８から離脱させられる。当該櫛状部材２２は、裁断後のシート材１４を確実に裁断支持面８から離脱させるように、裁断支持面８を形成しているブラシ７の剛毛７ａの間に分け入らせている。しかしながら、裁断後のシート材１４を搬出するために裁断支持面８を移動させる際に、櫛状部材２２によって前方側からブラシ７に負荷が加わり、且つ剛毛７ａ同士が絡まった箇所ではブラシ７を持ち上げる負荷が加わる。この櫛状部材２２によって加わる負荷に対してブラシ７がブラシ取付台５から外れることのないように、ブラシ取付台５には最前列に係止リブ１５を形成し、これに対峙してブラシ７には最前列に係止突起１８を形成してそれぞれの係止面１５ａ、１８ａを噛み合わせて嵌合させる。このそれぞれの係止面１５ａ、１８ａは後方側のそれぞれの嵌合面１６ａ、１９ａの滑らかな面とは異なって、ブラシ７の前方側が持ち上がろうとする負荷が掛かっても容易には上方に滑り抜けない構造であって、それぞれの係止面１５ａ、１８ａ同士が堅固に引っ掛かるように形成する。係止リブ１５および係止突起１８の膨出部を楔形にしてそれぞれの係止面１５ａ、１８ａの引っ掛け度合をさらに堅固にした形態は、前方からのブラシに掛かる負荷を受け止めることも可能である。また、上記係止リブ１５および係止突起１８の膨出部に形成する係止面１５ａおよび１８ａに凹凸を形成してそれぞれの引っ掛け度合を堅固にすることも可能である。
より好ましい構造として、前記係止突起１８の先端背面部に、前記前方側からの負荷を受け止める補助リブ１７をブラシ取付台５に形成することでより良好な効果をもたらす。また、他の実施例として図４に示すように、前方側からの負荷を受け止めるために、ブラシ７には係止突起１８よりも後方側の列に適度の厚さを有して剛性のある補助突起２６を形成し、該補助突起２６の後方側に面した壁面２６ａをガイドする補助リブ２７をブラシ取付台に形成することでより良好な効果をもたらす。
尚、上記で説明した実施形態では、ブラシ取付台５に形成した係止リブ１５を後方向けて膨出し、ブラシ７に形成した係止突起１８を前方向けて膨出してそれぞれの係止面１５ａ、１８ａを嵌合させたが、これに代えて前記係止リブ１５を前方向けて膨出し、前記係止突起を後方向けて膨出してそれぞれの係止面１５ａ、１８ａを嵌合させることもできる。
また、前記実施形態では、ブラシ７に掛かる前方側からの負荷に対し、ブラシ取付台５に設けた補助リブ１７でブラシ７の係止突起１８をガイドし、他の実施例ではブラシ取付台５に設けた補助リブ２７でブラシ７の補助突起２６をガイドして直接受け止めるようにしたが、これに代えて補助リブ１７と係止突起１８の背面の間、または補助リブ２７と補助突起２６の間にワイヤーを差し込んでも同等の目的を果たす。
また、前記図４に示す形態では、ブラシ取付台５に係止リブ１５の直ぐ後方側に補助リブ２７を形成し、ブラシ７に係止突起１８の直ぐ後方側に補助突起２６を形成したが、これに代えてブラシ取付台５の最後列に補助リブ２７を形成し、ブラシ７の最後列に補助突起２６を形成することはもちろんのこと、またブラシ７の補助突起２６に代えてブラシ７の基部に凹部溝を形成し、該凹部溝の後方側に面した壁面をブラシ取付台の補助リブ２７でガイドさせることも同等の目的を果たすのである。
本発明は、その精神または主要な特徴から逸脱することなく、他のいろいろな形態で実施できる。従って、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【産業上の利用可能性】  以上、上記説明でも明らかなように本発明の自動裁断機における裁断テーブルのブラシ取り付け構造は、ブラシとブラシ取付台との着脱が容易な利便性を維持し、ブラシがコンベアとして移動する時に掛かる前方からの負荷に対して、ブラシがブラシ取付台から外れることを防止することができ、また、ブラシに繰り返し連続的な負荷が長期的に掛かってもブラシとブラシ取付台との締着力の劣化を抑制してブラシの耐久性を増すことができるのである。
できる。
【図１】
2004007830.tif 000003
【図２】
2004007830.tif 000004
【図３】
2004007830.tif 000005
【図４】
2004007830.tif 000006
【図５】
2004007830.tif 000007
【国際調査報告】
2004007830.tif 000008
2004007830.tif 000009
2004007830.tif 000010